【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
無線通信システムにおけるチャネル推定を改善する方法であって、
複数のマルチパス要素を備えた無線信号を受信することと、
Ｎ個のチャネル推定値を取得することであって、Ｎは１より大きい任意の正の整数であり、前記Ｎ個のチャネル推定値のうちの各チャネル推定値は、前記複数のマルチパス要素の異なるマルチパス要素に対応していることと、
前記Ｎ個のチャネル推定値について、前記複数のマルチパス要素間の干渉の効果を低減することとを備える方法。
【請求項２】
請求項１に記載の方法において更に、
前記複数のマルチパス要素のうちのＮ個内の信号要素がどのようにして互いに相関付けられるのかに関する情報を含むマルチパス相関行列を計算することと、
前記複数のマルチパス要素のうちのＮ個内のノイズ要素がどのようにして互いに相関付けられるのかに関する情報を含むノイズ共分散行列を計算することとを備える方法。
【請求項３】
請求項２に記載の方法において、前記マルチパス相関行列と前記ノイズ共分散行列とは、前記Ｎ個のチャネル推定値に関する前記複数のマルチパス要素間の干渉の効果を低減するために使用される方法。
【請求項４】
請求項３に記載の方法において、前記Ｎ個のチャネル推定値を取得することは、
ベースバンドフィルタのインパルス応答にマッチしたマッチトフィルタを用いて、前記受信した無線信号をフィルタすることと、
Ｎ個の遅延を推定することであって、前記Ｎ個の遅延の各々は、前記複数のマルチパス要素のうちの異なるマルチパス要素に対応していることと、
前記マッチトフィルタの出力について、前記Ｎ個の遅延の各々の後に一度ずつ擬似ノイズ逆スクランブルをＮ回実施し、Ｎ個の逆スクランブルされた信号を取得することと、
前記Ｎ個の逆スクランブルされた信号の各々を、基準信号と相関付けてＮ個のチャネル推定値を取得することであって、前記Ｎ個のチャネル推定値の各々は、前記複数のマルチパス要素のうちの異なるマルチパス要素に対応していることとを備える方法。
【請求項５】
請求項４に記載の方法において、前記Ｎ個の遅延、前記Ｎ個のチャネル推定値、及び前記基準信号は、前記マルチパス相関行列及び前記ノイズ共分散行列を計算するために使用される方法。
【請求項６】
請求項１に記載の方法において、前記無線通信システムは、符号分割多元接続技術を利用する方法。
【請求項７】
請求項６に記載の方法において、前記複数のマルチパス要素内の各マルチパス要素は、複数のチップを備えており、各チップはチップ期間を持っており、前記複数のマルチパス要素のうちの少なくとも幾つかは、前記チップ期間よりも小さく互いに分離されている方法。
【請求項８】
請求項１に記載の方法において、前記方法は移動局によって実施される方法。
【請求項９】
請求項１に記載の方法において、前記方法は基地局によって実施される方法。
【請求項１０】
無線通信システムにおいて使用される移動局であって、
複数のマルチパス要素を備えた無線信号を受信する少なくとも一つのアンテナと、
前記少なくとも一つのアンテナと電子的に通信する受信機と、
方法を実施する強化されたチャネル推定器とを備え、
前記方法は、
Ｎ個のチャネル推定値を取得することであって、Ｎは１より大きい任意の正の整数であって、前記Ｎ個のチャネル推定値のうちの各チャネル推定値は、前記複数のマルチパス要素のうちの異なるマルチパス要素に対応していることと、
前記Ｎ個のチャネル推定値について、前記複数のマルチパス要素間の干渉の効果を低減することとを備える移動局。
【請求項１１】
請求項１０に記載の移動局において、前記方法は更に、
前記複数のマルチパス要素のうちのＮ個内の信号要素がどのようにして互いに相関付けられるのかに関する情報を含むマルチパス相関行列を計算することと、
前記複数のマルチパス要素のうちのＮ個内のノイズ要素がどのようにして互いに相関付けられるのかに関する情報を含むノイズ共分散行列を計算することとを備える移動局。
【請求項１２】
請求項１１に記載の移動局において、前記マルチパス相関行列と前記ノイズ共分散行列とは、前記Ｎ個のチャネル推定値に関する前記複数のマルチパス要素間の干渉の効果を低減するために使用される移動局。
【請求項１３】
請求項１２に記載の移動局において、前記Ｎ個のチャネル推定値を取得することは、
ベースバンドフィルタのインパルス応答にマッチしたマッチトフィルタを用いて、前記受信した無線信号をフィルタすることと、
Ｎ個の遅延を推定することであって、前記Ｎ個の遅延の各々は、前記複数のマルチパス要素のうちの異なるマルチパス要素に対応していることと、
前記マッチトフィルタの出力について、前記Ｎ個の遅延の各々の後に一度ずつ擬似ノイズ逆スクランブルをＮ回実施し、Ｎ個の逆スクランブルされた信号を取得することと、
前記Ｎ個の逆スクランブルされた信号の各々を、基準信号と相関付けてＮ個のチャネル推定値を取得することであって、前記Ｎ個のチャネル推定値の各々は、前記複数のマルチパス要素のうちの異なるマルチパス要素に対応していることとを備える移動局。
【請求項１４】
請求項１３に記載の移動局において、前記Ｎ個の遅延、前記Ｎ個のチャネル推定値、及び前記基準信号は、前記マルチパス相関行列及び前記ノイズ共分散行列を計算するために使用される移動局。
【請求項１５】
請求項１０に記載の移動局において、前記無線通信システムは、符号分割多元接続技術を利用する移動局。
【請求項１６】
請求項１５に記載の移動局において、前記複数のマルチパス要素内の各マルチパス要素は、複数のチップを備えており、各チップはチップ期間を持っており、前記複数のマルチパス要素のうちの少なくとも幾つかは、前記チップ期間よりも小さく互いに分離されている移動局。
【請求項１７】
無線通信システムにおいて使用される装置であって、
複数のマルチパス要素を備えた無線信号を受信する少なくとも一つのアンテナと、
前記少なくとも一つのアンテナと電子的に通信する受信機と、
方法を実施する強化されたチャネル推定器とを備え、
前記方法は、
Ｎ個のチャネル推定値を取得することであって、Ｎは１より大きい任意の正の整数であって、前記Ｎ個のチャネル推定値のうちの各チャネル推定値は、前記複数のマルチパス要素のうちの異なるマルチパス要素に対応していることと、
前記Ｎ個のチャネル推定値について、前記複数のマルチパス要素間の干渉の効果を低減することとを備える装置。
【請求項１８】
請求項１７に記載の装置において、前記方法は更に、
前記複数のマルチパス要素のうちのＮ個内の信号要素がどのようにして互いに相関付けられるのかに関する情報を含むマルチパス相関行列を計算することと、
前記複数のマルチパス要素のうちのＮ個内のノイズ要素がどのようにして互いに相関付けられるのかに関する情報を含むノイズ共分散行列を計算することとを備える装置。
【請求項１９】
請求項１８に記載の装置において、前記マルチパス相関行列と前記ノイズ共分散行列とは、前記Ｎ個のチャネル推定値に関する前記複数のマルチパス要素間の干渉の効果を低減するために使用される装置。
【請求項２０】
請求項１９に記載の装置において、前記Ｎ個のチャネル推定値を取得することは、
ベースバンドフィルタのインパルス応答にマッチしたマッチトフィルタを用いて、前記受信した無線信号をフィルタすることと、
Ｎ個の遅延を推定することであって、前記Ｎ個の遅延の各々は、前記複数のマルチパス要素のうちの異なるマルチパス要素に対応していることと、
前記マッチトフィルタの出力について、前記Ｎ個の遅延の各々の後に一度ずつ擬似ノイズ逆スクランブルをＮ回実施し、Ｎ個の逆スクランブルされた信号を取得することと、
前記Ｎ個の逆スクランブルされた信号の各々を、基準信号と相関付けてＮ個のチャネル推定値を取得することであって、前記Ｎ個のチャネル推定値の各々は、前記複数のマルチパス要素のうちの異なるマルチパス要素に対応していることとを備える装置。
【請求項２１】
請求項２０に記載の装置において、前記Ｎ個の遅延、前記Ｎ個のチャネル推定値、及び前記基準信号は、前記マルチパス相関行列及び前記ノイズ共分散行列を計算するために使用される装置。
【請求項２２】
請求項１７に記載の装置において、前記無線通信システムは、符号分割多元接続技術を利用する装置。
【請求項２３】
請求項２２に記載の装置において、前記複数のマルチパス要素内の各マルチパス要素は、複数のチップを備えており、各チップはチップ期間を持っており、前記複数のマルチパス要素のうちの少なくとも幾つかは、前記チップ期間よりも小さく互いに分離されている装置。
【請求項２４】
請求項１７に記載の装置において、前記装置は移動局によって実施される装置。
【請求項２５】
請求項１７に記載の装置において、前記装置は基地局によって実施される装置。
【請求項２６】
無線通信システムにおいて使用される移動局であって、
複数のマルチパス要素を備えた無線信号を受信する手段と、
Ｎ個のチャネル推定値を取得する手段であって、Ｎは１より大きい任意の正の整数であり、前記Ｎ個のチャネル推定値のうちの各チャネル推定値は、前記複数のマルチパス要素の異なるマルチパス要素に対応している手段と、
前記Ｎ個のチャネル推定値について、前記複数のマルチパス要素間の干渉の効果を低減する手段とを備える移動局。
【請求項２７】
請求項２６に記載の移動局において更に、
前記複数のマルチパス要素のうちのＮ個内の信号要素がどのようにして互いに相関付けられるのかに関する情報を含むマルチパス相関行列を計算する手段と、
前記複数のマルチパス要素のうちのＮ個内のノイズ要素がどのようにして互いに相関付けられるのかに関する情報を含むノイズ共分散行列を計算する手段とを備える移動局。
【請求項２８】
請求項２７に記載の移動局において、前記マルチパス相関行列と前記ノイズ共分散行列とは、前記Ｎ個のチャネル推定値に関する前記複数のマルチパス要素間の干渉の効果を低減するために使用される移動局。
【請求項２９】
請求項２６に記載の移動局において、前記無線通信システムは、符号分割多元接続技術を利用する移動局。
【請求項３０】
請求項２９に記載の移動局において、前記複数のマルチパス要素内の各マルチパス要素は、複数のチップを備えており、各チップはチップ期間を持っており、前記複数のマルチパス要素のうちの少なくとも幾つかは、前記チップ期間よりも小さく互いに分離されている移動局。
【手続補正２】
【補正対象書類名】明細書
【補正対象項目名】００５０
【補正方法】変更
【補正の内容】
【００５０】
行列表記において、チャネル推定値９１８は、式２に示すように記述される。式２におけるパラメータＡは、マルチパス相関行列９２２である。式２におけるパラメータαは、フェージング係数ベクトルである。式２におけるパラメータｖは、ノイズベクトルである。
【数２】
2006518168.tif 000001
【手続補正３】
【補正対象書類名】明細書
【補正対象項目名】００５１
【補正方法】変更
【補正の内容】
【００５１】
１つの実施例において、Ｎ個のチャネル推定値９１８についてのマルチパス干渉の効果を低減することは、フェージング係数ベクトルの推定値を計算することを含む。この計算は、マルチパス干渉低減要素９２６によって実行される。フェージング係数ベクトルの推定値は、式３に示すように記述される。式３におけるパラメータＡは、マルチパス相関行列９２２である。式３におけるパラメータ  
【数３】
2006518168.tif 000002